(57)【要約】現在市場に見られる逆浸透膜浄水器は、水供給栓の元栓側に設置する為に水道業者の技術と知識が必要であるが、これを一般消費者でも簡単にとりつけることが出来る安価で便益の多い切り替え弁装置を供給する。
2009022433.tif 000002
【特許請求の範囲】
【請求項１】
水供給栓（以下蛇口と称す）と水処理機器とに接続して、蛇口から供給される水の流れを切り替える弁装置であって、上面に前記蛇口の先端に接続される原水流入口が設けられ、中央部に水平な軸線を有する円形状の弁室を設け且つ、取水口、水処理器へ給水する給水口、水処理器より受水する受水口、原水出水口、被処理水吐水口（以下純水吐水口と称す）を有し且つ、前記給水口と連通するノズル内に水圧調整弁装置を具備した弁箱と、前記弁箱の前記弁室に、内筒と外筒を有して回動自在に設けられ、前記弁箱の取水口と常時連通する取水孔、前記取水孔と連通して、原水を外筒と内筒間に常時流通させる原水流通部を有し且つ、前記原水流通部と連通した給水孔および原水孔とを有し、前記弁の内筒内の流通路、前記内筒流通路より分岐して外筒壁外面に達す内筒分岐流通路孔を有する筒状の弁と、この弁に連結して弁を回動操作するハンドルとを具備し、前記弁は前記ハンドルに回動されて、前記蛇口から供給される水を、前記弁箱の原水出水口より出水させる原水位置と、前記弁箱の給水口より水処理器へ給水して被処理水（以下純水と称す）を生産させる純水生産位置と、前記弁箱の受水口より受水し、前記弁の内筒分岐流通路へ受水導入する内筒分岐流通路孔よりの純水を、内筒流通路を流通させて前記弁箱の純水吐水口より吐水させる純水採水位置とに夫々位置され、前記弁の取水孔は、前記各位置で常時前記弁箱の取水口と連通し、前記弁の原水流通部は前記原水位置と純水生産位置で流通し、原水流通部と連通した弁の原水孔は、前記弁が原水位置にある時には、前記弁箱の原水出水口に連通して原水を吐水し、前記弁の内筒分岐流通路孔および給水口は前記弁箱弁室壁にて閉口される位置に、前記弁が純水生産位置にある時には、前記弁の給水孔は前記弁箱の給水口に連通して水処理機器に原水を供給し、前記弁の原水出水孔および内筒分岐流通路孔を前記弁箱室壁にて閉口し、前記弁が純水採水位置にある時には、弁の原水出水孔および給水孔を前記弁箱室壁にて閉口し、内筒分岐流通路孔は、前記弁箱の受水口と連通して純水を受水導入し、前記弁の内筒流通路を流通させて前記弁箱の純水吐水口より純水を吐水する位置に夫々分散配置されていることを特徴とする水処理器用の切替え弁装置。
【請求項２】
請求項１記載の弁箱に、廃棄水受水口、および廃棄水出水口を、請求項１記載の弁に、前記弁箱の廃棄水受入口よりの廃棄水を受水する内筒分岐流通路孔と前記廃棄水の出水流量を低下させる為に非常に少量の水を通水する微細孔を以って成すか、又は部具（以下絞り又はシボリと称す）を孔に内蔵した内筒分岐流通路孔、および弁の内筒流通路内を、内筒純水流通路と内筒廃棄水流通路とに分断する内筒流通路仕切り板、さらに弁の原水流通路を分断して、原水流通路と純水流通路とに分断する原水流通路仕切板を設け、弁箱の純水受水口より受水する純水を、純水流通路に導入し、前記の仕切られた内筒流通路の内筒純水流通路に内筒新孔を設け、前記内筒新孔より純水を導入し、弁箱の純水吐水口へ送水吐水し、請求項１記載の原水位置、純水採水位置、純水生産位置に加えて、水処理器内の逆浸透膜（以下ＲＯ膜と称す）を洗浄するＲＯ膜洗浄位置を付加し、前記ＲＯ膜洗浄位置にて、純水機器内のＲＯ膜を強速流水で洗浄して排出される廃棄水を、前記弁箱の廃棄水受水口より、前記弁の内筒分岐流通路孔より受水し、連通した内筒分岐流通路孔へ前記内筒廃棄水流通路を経て送水し、弁箱の前記廃棄水出水口より出水し、純水生産位置には、前記弁箱の廃棄水受水口よりの廃棄水を、弁の内筒分岐流通路孔へ導水し、内筒廃棄水流通路を経て、連通する前記シボリを内蔵した内筒流通路孔より非常な少量の廃棄水を、前記弁箱の廃棄水出水口より排出する、純水機器よりの廃棄水を、蛇口の下より流し台に吐水させて、その廃棄水を雑用水として利用することの出来ることを特徴とする請求項１記載の切替え弁装置。
【請求項３】
請求項１記載の弁箱に、浄水受水口、浄水出水口、逆洗排水口、を付加し、請求項１記載の弁に、浄水用原水給水孔、逆洗水給水孔、逆洗水受水孔、逆洗水出水孔、浄水受水する内筒浄水流通路孔、浄水を出水する内筒浄水流通路孔Ｂ、内筒流通路を内筒純水流通路と浄水を連通させる内筒浄水流通路部分とに区分けする内筒流通路仕切り板、内筒外壁と外筒内壁の原水流通部を純水流通部と原水流通部とに区分する原水流通路仕切り板を設け且つ、前記内筒純水流通路に純水を受水する内筒新孔を設け且つ、前記弁の内筒外壁と外筒内壁間の原水流通路の一部を、一端を弁箱の排水出水口を含有し、他端を原水給水口を含有する位置に、巾を前記弁箱口を含有可能巾にして隔壁を以って区画仕切り且つ、蓋で密封した排水流通路を、前記排水流通路の一端に逆洗水受水孔、他端に逆洗水出水孔を付加して成し、水処理機器へ原水を給水して純水生産する純水生産位置、純水を採水吐水する純水採水位置、原水を吐水させる原水位置、水処理機器の浄水器を通過した浄水を採水する浄水位置、水処理機器内の浄水器を逆流洗浄する逆洗位置、に於ける前記弁の各孔の位置は、純水生産位置においては、原水を取水孔より原水流通部に取水し、給水孔は前記弁箱の給水口に連通して水処理機器へ給水し、他の弁孔は前記弁箱の弁室壁により閉口される位置に、純水採水位置においては、前記弁箱の被処理水受水口より弁の前記純水流通路に設けた純水受水孔より純水流通部に導入水し、内筒純水流通路に設けた前記内筒新孔より内筒純水流通路を流通送水して、弁箱の純水吐水口より吐水し、他の弁孔は弁室壁にて閉口する位置に、原水位置においては、前記弁の原水取水孔より原水を取入れ、原水流通部を流通する原水を、前記純水生産位置より回動して来た給水孔より弁箱の原水出水口へ送水吐出させ、弁の他孔は弁室壁にて閉口する位置に、浄水採水位置においては、原水取水孔より原水を弁内の原水流通部に流導し、弁の浄水用原水給水孔と連通した弁箱の給水口へ送水し、弁箱の浄水受水口より入水する浄水を、内筒浄水流通路孔より受水して内筒浄水流通路へ送水し、連通する内筒浄水流通路孔Ｂより、連通した弁箱の浄水出水口より出水し、弁の他の孔は弁箱の弁室壁に閉口される位置に、逆洗位置においては、原水取水孔より流入させた原水を弁の原水流通部に流通させ、原水流通部に連通した逆洗水給水孔より連通した弁箱の浄水受水口へ逆に送水し、弁箱の給水口より逆流して来る逆洗水を、逆洗水受水孔より流入させ、前記排水流通路を流通して逆洗水出水孔より出水し、連通した弁箱の排水出水口から出水し、連通するノズル内にある排水吐水口より吐水する位置に夫々分散配置されていることを特徴とする水処理機器用の切替え弁装置。
【発明の詳細な説明】
【技術分野】
【０００１】
本発明は、水供給栓と家庭等に用いられる逆浸透膜純水機器などの水処理機器とに接続して、水供給栓より供給される水の流れを切り替える弁装置に関する。
【背景技術】
【０００２】
現在このような切り替え弁装置は市場では見られない。
【発明の開示】
【発明が解決しようとする課題】
【０００３】
逆浸透膜純水機器の台所への設置は、給水管又は給水栓の前側（元側）の常時圧力の作用する側にとりつけているので、困難を極めるもので、一般消費者では設置不可能である。
逆浸透膜純水機器は浸透膜で純水化する以前に雑物ろ過及び活性炭ろ過（以下これらを浄水器と称す）をしているが、この浄水器が高性能ならば高性能な程に目詰まりを起こして、頻繁なろ材交換を余儀なくされている。
純水生産時には多量な廃棄水（純水１に比して３程度）が必要であり、更に１日２〜３回程度の単なるＲＯ膜のみの洗浄をする水の廃棄水を流し台下の排水口より流出してしまっており、消費者に水の浪費をもたらしている。
逆浸透膜にて処理された水（以下これを純水と称す）を蛇口の先端より採水出来ず、他に１つの純水吐水栓をとりつける必要が生ずる。
逆浸透膜純水器で、まず先に浄水装置を設置し、その浄水を逆浸透膜で処理するものであるが、その浄水装置で浄化された浄水を採水出来ない。採水するには純水吐水栓に加えて尚にもう一つの浄水吐水栓が必要となる。
【課題を解決するための手段】
【０００４】
逆浸透膜純水機器（以下これをＲＯ器又は水処理機器および純水機器と称す）を、水供給栓（以下これを蛇口と称す）の先端に取り付けた切り替え弁装置を開いて給水し、水処理機器の出水する純水、廃棄水、尚にＲＯ器内の浄水器より浄水を、ホース等の水管（以下これを水管と称す）を用いて前述の切り替え弁装置に接続し、ハンドルの切り替えのみにて各種の水、原水、純水、浄水、廃棄水を出水させることの出来る切り替え弁装置を小型で安価に提供することである。
【発明の効果】
【０００５】
水供給栓の元栓を閉口し、水供給管に分岐栓を取り付け、尚にその分岐栓より、水処理機器の処理水受入口へ水管をとりつなげ、純水採水栓を料理台へ孔を穿って取り付け、流し台の下の排水管に孔を穿って、廃棄水の水管を差し込み入れて、防水を施す等の作業を、狭い家庭厨房の中で多くの時間を用いて苦労な設置を完成させる作業は、消費者には不可能であり、水道業者に依頼することになるが、当発明品を蛇口の先端に取り付けることは一般消費者でも簡単に成しうる。
尚浄水器の目づまりは、浄水器のろ過材をより精密なろ過材にすればする程に、より上質な浄水を得ることが出来るが、より上質にすればする程ろ過材のろ過材によるろ過した雑物の器内累積のために、目づまりは早まり、頻度の高いろ材交換となるが、浄水器を逆洗浄（水を逆方向より流して洗浄）すれば、累積したろ過した雑物を器外へ放出することができるので、流量の低下は防止出来、処理流量を飛躍的に向上出来、消費者の煩雑なろ材交換を減少させることが出来る。
【図面の簡単な説明】
【０００６】
【図１】弁装置の正面図（実施例１）
【図２】弁装置の裏面図（実施例１）
【図３】弁装置の平面図（実施例１）
【図４】弁装置の底面図（実施例１）
【図５】弁装置の左側面図（実施例１）
【図６】弁装置の右側面図（実施例１）
【図７】弁装置の右側面図（実施例１）
【図８】弁装置の右側面図（実施例１）
【図９】図３に示すＡ−Ａ線に沿う断面図。
【図１０】符号８３に示す水処理機器の概略図と下部は図６に示すＢ−Ｂ線に沿う断面図。
【図１１】図３に示すＡ−Ａ線に沿う断面図。
【図１２】水処理機器の概略図と下部は図７に示すＣ−Ｃ線に沿う断面図。
【図１３】図３に示すＡ−Ａ線に沿う断面図。
【図１４】水処理機器の概略図と図８に示すＤ−Ｄ線に沿う断面図。
【図１５】弁装置の弁箱の立体図。
【図１６】弁装置の弁箱の立体図。
【図１７】弁装置の弁の立体図。
【図１８】弁装置の正面図（実施例２）
【図１９】弁装置の裏面図（実施例２）
【図２０】弁装置の平面図（実施例２）
【図２１】弁装置の左側面図（実施例２）
【図２２】弁装置の底面図（実施例２）
【図２３】弁装置の右側面図（実施例２）
【図２４】弁装置の右側面図（実施例２）
【図２５】弁装置の右側面図（実施例２）
【図２６】弁装置の右側面図（実施例２）
【図２７】図２０に示すＥ−Ｅ線に沿う断面図。
【図２８】水処理機器の概略図と図２３に示すＦ−Ｆ線に沿う断面図。
【図２９】図２０に示すＥ−Ｅ線に沿う断面図。
【図３０】水処理機器の概略図と図２４に示すＧ−Ｇ線に沿う断面図。
【図３１】図２０に示すＥ−Ｅ線に沿う断面図。
【図３２】図２５に示すＨ−Ｈ線に沿う断面図。
【図３３】図２０に示すＥ−Ｅ線に沿う断面図。
【図３４】水処理機器の概略図と図２６に示すＩ−Ｉ線に沿う断面図。
【図３５】弁装置の正面図（実施例３）
【図３６】弁装置の裏面図（実施例３）
【図３７】弁装置の左側面図（実施例３）
【図３８】弁装置の平面図（実施例３）
【図３９】弁装置の底面図（実施例３）
【図４０】弁装置の右側面図（実施例３）
【図４１】弁装置の右側面図（実施例３）
【図４２】弁装置の右側面図（実施例３）
【図４３】弁装置の右側面図（実施例３）
【図４４】弁装置の右側面図（実施例３）
【図４５】図３８に示すＪ−Ｊ線に沿う断面図。
【図４６】水処理機器の概略図と下部は図４０に示すＫ−Ｋ線に沿う断面図。
【図４７】図３８に示すＪ−Ｊ線に沿う断面図。
【図４８】水処理機器の概略図と下部は図４１に示すＬ−Ｌ線に沿う断面図。
【図４９】図３８に示すＪ−Ｊ線に沿う断面図。
【図５０】水処理機器の概略図と下部は図４２に示すＭ−Ｍ線に沿う断面図。
【図５１】図３８に示すＪ−Ｊ線に沿う断面図。
【図５２】水処理機器の概略図と下部は図４３に示すＮ−Ｎ線に沿う断面図。
【図５３】図３８に示すＪ−Ｊ線に沿う断面図。
【図５４】水処理機器の概略図と図４４に示すＯ−Ｏ線に沿う断面図。
【図５５】本発明の切り替え弁装置の弁の立体図。
【図５６】図５５の弁の外筒のみ削除した立体図。
【符号の説明】
【０００７】
１  弁箱
２  弁
３  ハンドル
４  弁箱給水口
５  弁箱取水口
６  原水流通部
７  内筒流通路
８  内筒流通路出水口
９  弁給水孔
１０  弁取水孔
１１  弁外筒
１２  弁内筒
１３  水圧調整弁
１４  ノズル
１５  原水出水孔
１６  弁箱の原水出水口
１７  ホース等水管
１８  純水出水口
１９  水処理機器原水取水口
２０  浄水器ＩＮ
２１  浄水器
２２  浄水器ＯＵＴ
２３  純水器ＩＮ
２４  純水器
２５  純水出口ノズル
２６  廃棄水出口
２７  逆流防止弁
２８  廃棄水出水口
２９  圧力貯水タンク
３０  電脳
３１  圧力センサー
３２  分岐管
３３  シボリー（水の流量を絞る部品）
３４  原水流入口
３５  純水出水口
３６  内筒分岐流通路孔
３７  廃棄水受水口
３８  廃棄水受水孔
３９  弁箱廃棄水出水口
４０  廃棄水出水孔
４１  廃棄水シボリ出水孔
４２  浄水出水口
４３  弁箱の浄水出水口
４４  内筒流通路仕切り板
４５  浄水受水口
４６  浄水受水孔
４７  内筒分岐流通路
４８  排水流通路
４９  シール材防水シール
５０  排水路隔壁
５１  排水路蓋
５２  排水出水口
５３  排水出水孔
５４  排水吐水口
５５  低圧感知センサー
５６  ブザー
５７  逆洗水受水孔
５８  逆洗水出水孔
５９  逆洗水給水孔
６０  浄水用原水給水孔
６１  純水内筒流通路
６２  内筒浄水流通路孔
６３  内筒浄水流通路孔Ｂ
６４  原水流通部仕切り板
６５  内筒新孔
６６  弁室
６７  被処理水受水口（純水受水口）
６８  純水受水孔
６９  純水流通部
７０  原水流通口
７１  支持筒
７２  パッキン
７３  プレート
７４  シャワー孔
７５  軸芯受け蓋
７６  蛇口
７７  押え筒
７８  Ａ電磁弁
７８  Ｂ電磁弁
７９  水の流れ
８０  弁箱純水受水口
８１  水桶
８２  電線
８３  水処理機器
８４  水の流れ
８５  内筒分岐流通路孔Ｂ
８６  純水流通路
８７  シャワー分画部品
８８  分岐栓
８９  水処理器浄水出水口
９０  内筒浄水流通路
９１  原水出水孔
９２  支持環
９３  廃棄水吐水口
【発明を実施するための最良の形態】
【０００８】
【実施例１】
【０００９】
以下本発明の実施例を図１ないし図１７を参照して説明する。図１は正面、図２は裏面、図３は平面、図４は底面、図５は左側面、図６は右側面図である。図９は図３に示すＡ−Ａ線に沿う断面図、図１０は図６に示すＢ−Ｂ線に沿う断面図、図１２は図７に示すＣ−Ｃ線に沿う断面図、図１４は図８に示すＤ−Ｄ線に沿う断面図であり、図１５および図１６は本発明の弁箱１の立体図、図１７は本発明の弁２である。
弁箱１について述べる。図９にて示す符号７６は水供給栓の先端（蛇口の先端）であり、弁箱１の上面部が開放され、内部に弁室６６が設けられている。弁室６６は水平な軸線を中心とする円筒形をなすもので、上部に取水口５を設け、その上部開放部には原水流入口３４を成すプレート７３、パッキン７２、蛇口７６と螺合された支持筒７１を、内部に支持した押え筒７７と弁箱１が螺合締着されている。
弁箱１の弁室６６を囲む壁部の側面には水処理機器８３へ給水する給水口４および純水を受水する受水口８０を設け、弁室を囲む壁部の下面には原水を出する原水出水口１６を、正面左端には純水を出水する純水出水口３５を設けている。
なお、弁室６６の内周面で、弁２の孔と接触する部分にはシールを図るためのシール部材４９が設けてある。
弁２について述べる。弁２は円筒形をなす外筒１１と内筒１２とによって成り、内筒外壁と外筒内壁間を原水流通部６として形成し、内筒１２の筒内を以って純水流通路７、前述純水流通路７より分岐して外筒１１外面に達する分岐路を有した内筒分岐流通路孔３６を有し、弁室６６の内部に挿入され、弁外筒１１の周壁が弁室６６に回動自在に支承されている。
弁２の一端部は弁室６６の側端部の純水出水口３５に支承され、他端は弁室６６に螺合した支持環９２に支承されており、前述の支持環９２から突出した端部にはハンドル３が固定されている。
弁２はハンドル３により水平な軸線を中心にして回転することにより、後述する純水吐水、原水吐水に加えて、水処理機器８３へ給水して純水を生産する各位置において、各効果を果たす。図上点線にて水処理機器８３を表わしておく。
図９および図１０を参照し、シール部材４９を省略して、原水吐水位置を説明する。→印は水の流れを現わす。図９は図３のＡ−Ａ線に沿う断面図、図１０は図６のＢ−Ｂ線に沿う断面図である。
図９に示す如く、水は蛇口７６から、弁箱の取水口５へ流れ、弁２の弁取水孔１０より弁２の原水流通部６に導水され、連通する弁２の原水出水孔１５から、弁箱の原水出水口１６より出水し、下面のシャワー細孔７４よりシャワー様に吐水させる位置に回動した弁２の位置であり、弁箱１の給水口４、純水受水口８０は弁外筒１１により閉口されている。
図１１および図１２は純水採水位置に弁２が回動された位置を示し、図１１は図３に示すＡ−Ａ線に沿う断面図（ハンドル３は無視している。）、図１２は図７に示すＣ−Ｃ線に沿う断面図である。弁箱１の給水口４、原水出水口１６は弁外筒１１により閉口されており、水処理機器８３の純水出水口３５よりホース等水管１７をもって、弁箱１の純水受水口８０より、水処理機器８３に接続された圧力貯水タンク２９よりの純水を矢印で示す水の流れ８４の如く受水し、弁２の内筒分岐流通路孔３６より受水し、内筒流通路７を経て弁箱１の純水出水口３５より採水する。
図１３および図１４を参照して純水生産位置に、弁２が回動した時の水の流れ８４を説明する。図１３は図３に示すＡ−Ａ線に沿う断面図、（であるがハンドル３の位置は無視している。）図１４は図８に示すＤ−Ｄ線に沿う断面図である。
弁箱１の原水取水口５より弁２の原水流通部６に入水した原水は図１４で示す如く弁給水孔９よりの水を弁箱給水口４より給水し、水処理機器８３の原水取水口１９より水処理機器８３内に入水し、水管１７を流れて、浄水器２１で浄水した水を、さらにＲＯ膜純水器２４にて純水化した水は水管を経て圧力貯水タンク２９に貯水し、廃棄する水は廃棄水出口２６より水管を経てシボリ３３（水の流量を絞る部品）を経て、水処理機器８３の廃棄水出水口２８より出水して、水管１７を流れて水桶８１に排出される。
前述、純水生産位置においては、弁箱純水受水口８０および弁箱の原水出水口１６は弁外筒１１により閉口されている。
【実施例２】
【００１０】
前述した実施例１にて、ハンドル３の原水位置、純水採水位置、および純水生産位置を有する切替え弁装置の説明をしたが、実施例２においては、水処理機器８３内のＲＯ膜純水器２４のＲＯ膜を任意に強急速流で洗浄するＲＯ膜洗浄位置を付加した切り替え弁装置を、図１８及至図３４を参照して説明する。
図１８は正面、図１９は裏面、図２０は平面、図２１は左側面、図２２は底面図であり、図２３は原水位置、図２４は純水生産位置、図２５は純水採水位置、図２６はＲＯ膜洗浄位置での夫々右側面である。
図２７および図２８を用いて原水位置での弁２の位置を説明する。図２７は図２０に示すＥ−Ｅ線に沿う断面図、図２８は図２３に示すＦ−Ｆ線に沿う断面図である。弁箱取水口５、弁取水孔１０より原水流通部６へ入水した水は、開口している原水出水孔１５、連通した弁箱の原水出水口１６より出水して、下部のシャワー細孔よりシャワー状に出水する。
図２９および図３０を参照して純水位置での弁２の位置と水の流れ８４を用いて説明する。図２９は図２０に示すＥ−Ｅ線に沿う断面図であるがハンドル３の位置を無視している。図３０は図２４に示すＧ−Ｇ線に沿う断面図である。
原水流入口３４より流した水は、弁箱取水口５より弁取水孔１０にて原水流通部６へ流入し、弁給水孔９を経て弁箱給水口４より水管１７へ出水し、水処理機器８３の原水取水口１９より水管１７を流通して、浄水器２１で浄水し、さらに水管１７を流通してＲＯ純水器２４にて純水化した水は、水管１７を流通して圧力貯水タンク２９へ貯水し、廃棄する水は水管を流れて前述したシボリ３３を流れて廃棄水出水口２６より出水し、水管１７を流れて弁箱の廃棄水受水口３７より弁２の内筒分岐流通路孔３６より内筒流通路７を経て廃棄水シボリ出水孔４１より連通した弁箱廃棄水出水口３９より出水する。
図３１および図３２を参照して純水採水位置を説明する。図３１は図２０に示すＥ−Ｅ線に沿う断面図であるが、ハンドルの位置は無視しており、図３２の下部切り替え弁装置の断面図は図２５に示すＨ−Ｈ線に沿う断面図である。
弁箱の純水受水口６７は弁２の純水受水孔６８と連通し、原水流通部仕切り板６４にて区分された純水流通部６９へ流入し、弁箱１の純水出水口３５より出水する弁２の回動停止位置である。
純水採水位置における弁２の、原水出水孔１５、弁給水孔９、内筒分岐流通路孔３６、廃棄水シボリ出水孔４１は全て弁箱１の外壁により閉口されている。
弁２の回動が水処理機器８３内の純水器内ＲＯ膜を洗浄する位置にある時の説明を図３３および図３４を用いて説明する。図３３は図２０に示すＥ−Ｅ線に沿う断面図であるが、ハンドル３の位置は無視している。図３４の切り替え弁装置の断面図は図２６に示すＩ−Ｉ線に沿う断面図である。水の流経に付いては以下横線−において表わす。
蛇口７６より原水流入口３４へ流入した水は弁箱取水口５−弁取水孔１０−原水流通部６−弁給水孔９−弁箱給水口４−水管１７−水処理機器原水取水口１９−浄水器２１−電磁弁７８Ｂ−ＲＯ純水器２４−純水器の廃棄水出口２６−水処理機器８３の廃棄水出水口２８−水管１７−弁箱１の廃棄水受水口３７−弁２の内筒分岐流通路孔３６−内筒分岐流通路４７−（内筒分岐流通路仕切り板４４により、純水内筒分岐流通路と区分されている。）−内筒分岐流通路孔Ｂ８５−弁箱の廃棄水出水口３９−廃棄水吐水口９３より吐水する。
【実施例３】
【００１１】
図３５及至図５４を参照して純水生産位置、純水採水位置、原水出水位置、浄水出水位置、浄水器逆洗位置の５段切り替え弁装置を説明する。尚水の流れを横一線にして説明する。
図３５は正面、図３６は裏面、図３７は左側面、図３８は平面、図３９は底面の図である。図４０は純水生産位置、図４１は純水採水位置、図４２は原水出水位置、図４３は浄水出水位置、図４４は逆洗位置、の右側面である。
純水採水位置での説明を図４５および図４６を参照して説明する。図４５は図３８に示すＪ−Ｊ線に沿う断面図であり、ハンドル３の位置は図４０に示す位置にあり、図４６は図４０におけるＫ−Ｋ線に沿う断面図であり、水の流れは図４５および図４６に示す如く、蛇口７６より供給された水は原水流入口３４−弁箱の取水口５−弁取水孔１０−原水流通部６−弁給水孔９−弁箱給水口４−水管１７−水処理機器８３の原水取水口１９−浄水器２１−水管１７−ＲＯ膜純水器２４−純水出口ノズル２５より出水する純水は−水管１７−圧力貯水タンク２９へ貯水し、純水器２４の廃棄水出口ノズルより出水する廃棄水は−水管１７−逆止弁２７−シボリ部具３３−廃棄水出水口２８−水管１７−排水受け水桶８１へと流れる。
この位置では、弁２の給水孔９以外の孔は弁箱１の内壁にて全て閉口されている。
図４７および図４８を参照にして純水採水位置での水の流れを説明する。図４７は図３８に示すＪ−Ｊ線に沿う断面図であるが、ハンドル３の位置は表わしていないが、図４８にその位置を示し、図４８は図４１に示すＬ−Ｌ線に沿う断面図である。純水採水位置での水の流れは弁箱１の取水口５と弁２の取水孔１０とは連通しているが、原水流通部仕切り板６４により仕切られた原水は、弁２の各口が弁箱１の内壁により閉口されており水は止水し、弁箱１の純水受水口６７と弁２の純水受水孔６８が連通して、純水は前述の原水流通部仕切り板６４にて区分された純水流通部６９を経て、内筒新孔６５より弁箱１の純水出水口３５から吐水する。
原水位置の弁２の孔の位置を説明する。図４９は図３８に示すＪ−Ｊ線に沿う断面図であり、（ハンドル３の位置は図４２の位置に示す）図５０は図４２に示すＭ−Ｍ線に沿う断面図である。弁取水孔１０と弁給水孔９以外の孔は弁箱１の内壁により閉口されており、水は弁箱取水口５−弁取水孔１０−原水流通部６−弁箱原水出水口１６より出水し下面のシャワー分画部品８７により外周の細流孔よりシャワー状に吐水する。
図５１および図５２を参照し、水管１７を省略して浄水出水位置を説明する。図５１は図３８に示すＪ−Ｊ線に沿う断面図であり、（ハンドル３の位置は図４３に示す）図５２は図４３のＮ−Ｎ線に沿う断面図である。水は弁箱取水口５−弁取水孔１０−原水流通部（仕切り板６４にて仕切られた原水流通部）６−弁給水孔６０−弁箱給水口４−水管１７−水処理機器８３の原水取水口１９−浄水器２１−分岐栓８８−水管１７−水処理器浄水出水口８９−水管１７−弁箱１の浄水受水口４５−内筒浄水流通路孔６２−内筒浄水流通路９０−（内筒流通路７を内筒浄水流通路９０と内筒純水流通路６１に区分け仕切る仕切り板４４を設けて）−内筒流通路孔Ｂ６３−弁箱の浄水出水口４３より出水し、−シャワー分画部品８７により仕切られた下面中央部のシャワー細孔よりシャワー様に吐水する。
水処理機器８３内の浄水器２１を逆洗する逆洗位置を図５３および図５４を参照して説明する。図５３は図３８に示すＪ−Ｊ線に沿う断面図であるが、ハンドル３の位置は図４４に示す位置であり、尚図５４は図４４に示すＯ−Ｏ線に沿う断面図である。図５５に弁２の１部立体図を示し、その外筒部を削除した図が図５６であり、３面の排水路隔壁５０および排水路蓋５１、原水流通部仕切り板６４を表わす。
水は弁箱取水口５−弁取水孔１０−原水流通部６−弁２の逆洗水給水孔５９−弁箱の浄水受水口４５−水管１７−水処理機器８３の浄水出水口８９−水管１７−分岐水栓８８−浄水器ＯＵＴ２２より浄水器２１へ逆流して流入し−浄水器ＩＮ２０−水処理機器８３の原水取水口１９−水管１７−弁給水孔９より弁逆洗水受水孔５７より、弁２の流通部６内に設けられた排水路隔壁５０と排水路蓋５１によって区画された排水流通路４８−逆洗水出水孔５８−弁箱排水出水口５３−排水吐水口５４より吐水させる逆洗位置での弁２の各孔の位置にある。
以上説明したようにこの切り替え弁は、蛇口の先より取水してハンドル３の操作により純水生産を可能とし、純水採水が出来、原水も吐水出来、超精密ろ過材を用いての水処理器内の浄水採水ができ、逆流洗浄することによる前述の超精密ろ過材の浄水器ろ過材の目詰まり防止を可能とし且つ、ＲＯ膜の延命を可能とする事のできる水切り替え弁装置を小型で安価に提供できる。
【産業上の利用可能性】
【００１２】
狭い家庭厨房内において、水処理機器の設置は非常に煩雑な作業であり、更に技術的な業も必要である故に、専門の水道業者へ依頼することになっているが、消費者が簡単に設置できることは業界の要望である。加えて、浄水器のろ材交換頻度を減少させうることが出来ることは、消費者に多くの便益をもたらすことから、産業界の利用可能性は高度である。
【図１】
2009022433.tif 000003
【図２】
2009022433.tif 000004
【図３】
2009022433.tif 000005
【図４】
2009022433.tif 000006
【図５】
2009022433.tif 000007
【図６】
2009022433.tif 000008
【図７】
2009022433.tif 000009
【図８】
2009022433.tif 000010
【図９】
2009022433.tif 000011
【図１０】
2009022433.tif 000012
【図１１】
2009022433.tif 000013
【図１２】
2009022433.tif 000014
【図１３】
2009022433.tif 000015
【図１４】
2009022433.tif 000016
【図１５】
2009022433.tif 000017
【図１６】
2009022433.tif 000018
【図１７】
2009022433.tif 000019
【図１８】
2009022433.tif 000020
【図１９】
2009022433.tif 000021
【図２０】
2009022433.tif 000022
【図２１】
2009022433.tif 000023
【図２２】
2009022433.tif 000024
【図２３】
2009022433.tif 000025
【図２４】
2009022433.tif 000026
【図２５】
2009022433.tif 000027
【図２６】
2009022433.tif 000028
【図２７】
2009022433.tif 000029
【図２８】
2009022433.tif 000030
【図２９】
2009022433.tif 000031
【図３０】
2009022433.tif 000032
【図３１】
2009022433.tif 000033
【図３２】
2009022433.tif 000034
【図３３】
2009022433.tif 000035
【図３４】
2009022433.tif 000036
【図３５】
2009022433.tif 000037
【図３６】
2009022433.tif 000038
【図３７】
2009022433.tif 000039
【図３８】
2009022433.tif 000040
【図３９】
2009022433.tif 000041
【図４０】
2009022433.tif 000042
【図４１】
2009022433.tif 000043
【図４２】
2009022433.tif 000044
【図４３】
2009022433.tif 000045
【図４４】
2009022433.tif 000046
【図４５】
2009022433.tif 000047
【図４６】
2009022433.tif 000048
【図４７】
2009022433.tif 000049
【図４８】
2009022433.tif 000050
【図４９】
2009022433.tif 000051
【図５０】
2009022433.tif 000052
【図５１】
2009022433.tif 000053
【図５２】
2009022433.tif 000054
【図５３】
2009022433.tif 000055
【図５４】
2009022433.tif 000056
【図５５】
2009022433.tif 000057
【図５６】
2009022433.tif 000058
【国際調査報告】
2009022433.tif 000059
2009022433.tif 000060